(57)【要約】【課題】  よりコンパクトな構成で屋外設置型データ収集装置の耐環境性能を向上させる。【解決手段】  情報取得手段および送信手段の少なくとも一部を成す主装置部を収容し、少なくとも上方に向けて開口する筒状の胴部３２と、該胴部３２を上方から覆う傘部３１と、を有するケーシングと、ケーシング内に換気流を生じさせるファン４１と、を備え、ケーシング内の空気を胴部３２と傘部３１との間の間隙から排出するようにした。【選択図】      図３
2006105745.tif 000002
【特許請求の範囲】
【請求項１】
屋外の環境情報を取得する情報取得手段と、その取得された環境情報を電気通信回線を通じて送信するための送信手段とを備える屋外設置型データ収集装置であって、
前記情報取得手段および送信手段の少なくとも一部を成す主装置部を収容し、少なくとも上方に向けて開口する筒状の胴部と、該胴部を上方から所定の間隙をもって覆う傘部と、を有するケーシングと、
ケーシング内に換気流を生じさせる換気ファンと、
を備え、
ケーシング内の空気を前記胴部と傘部との間の間隙から排出するようにしたことを特徴とする屋外設置型データ収集装置。
【請求項２】
前記傘部は、有底筒状であり、下方に向けて開口し、かつ前記胴部の上方および側方を所定の間隙をもって覆うことを特徴とする請求項１に記載の屋外設置型データ収集装置。
【請求項３】
前記胴部に、その上部開口よりさらに上方に突出するリブを設け、このリブに前記傘部を取り付けたことを特徴とする請求項１または２に記載の屋外設置型データ収集装置。
【請求項４】
前記主装置部は、電子部品が実装された電子回路基板を含み、
前記電子回路基板は、その基板表面が胴部内における換気流の流通方向に沿う姿勢で配置されることを特徴とする請求項１〜３のうちいずれか一つに記載の屋外設置型データ収集装置。
【請求項５】
前記情報取得手段は、外気の性状を検出するセンサを含み、
前記主装置部に対して換気流の上流となる位置に前記センサが配置されることを特徴とする請求項１〜４のうちいずれか一つに記載の屋外設置型データ収集装置。
【請求項６】
前記主装置部に対して換気流の上流となり、かつ前記センサに対して換気流の下流となる位置に、前記換気ファンが配置されることを特徴とする請求項５に記載の屋外設置型データ収集装置。
【請求項７】
ケーシングの少なくとも一部は透明であり、
前記情報取得手段は、該ケーシングの透明部の内側に配置された日照センサを含むことを特徴とする請求項１〜６のうちいずれか一つに記載の屋外設置型データ収集装置。
【請求項８】
前記情報取得手段によって取得された情報から屋内機器を制御する制御情報を生成する制御情報生成手段を設け、
前記送信手段は、前記制御情報を送信することを特徴とする請求項１〜７のうちいずれか一つに記載の屋外設置型データ収集装置。
【請求項９】
ケーシングの下面に、前記主装置部にケーシング外のセンサを接続するためのコネクタを設けたことを特徴とする請求項１〜８のうちいずれか一つに記載の屋外設置型データ収集装置。
【請求項１０】
前記ケーシングを地面に対して離間配置する脚部を設け、
前記脚部に水道栓および／または電源コンセントを設けたことを特徴とする請求項１〜９のうちいずれか一つに記載の屋外設置型データ収集装置。
【請求項１１】
前記水道栓の開閉を制御する制御手段を設けたことを特徴とする請求項１０に記載の屋外設置型データ収集装置。
【請求項１２】
ケーシングの少なくとも一部は透明であり、
前記情報取得手段は、該ケーシングの透明部の内側に配置されたカメラを含むことを特徴とする請求項１〜１１のうちいずれか一つに記載の屋外設置型データ収集装置。
【発明の詳細な説明】
【技術分野】
【０００１】
本発明は、農場、牧場等の屋外に設置され、当該農場等の気温、湿度、日射量等の気象データ等を取得する屋外設置型データ収集装置に関する。
【背景技術】
【０００２】
近年、急速にＩＴ化が進むのに伴い、電子機器やネットワーク機器などを屋外に設置したいという要望が高まっている。具体的には、例えば、農場で気象観測を行って農作物に対して適切な処置を行いたい場合や、屋外で観測した温度や湿度に基づいて屋内の空調装置等を制御して省エネ化を図りたい場合などがある。
【特許文献１】特開２００２−１８３２４２号公報
【発明の開示】
【発明が解決しようとする課題】
【０００３】
しかしながら、従来、こうした電子機器等を屋外に設置する場合には、強固な外郭を有し空調や日照の対策を施した筐体内に電子機器等を収容するという形式が採用されており、装置が大がかりになる上、美観が損なわれるという問題もあった。
【０００４】
逆に、よりコンパクトな構成とした場合には、空調や日照の対策を十分に施すことができず、筐体内の温度が上昇するなど、内蔵する電子機器等に不具合が生じることが懸念される。
【０００５】
そこで、本発明は、よりコンパクトな構成で屋外設置型データ収集装置の耐環境性能を向上させることを目的とする。
【課題を解決するための手段】
【０００６】
請求項１の発明にあっては、屋外の環境情報を取得する情報取得手段と、その取得された環境情報を電気通信回線を通じて送信するための送信手段とを備える屋外設置型データ収集装置であって、上記情報取得手段および送信手段の少なくとも一部を成す主装置部を収容し、少なくとも上方に向けて開口する筒状の胴部と、該胴部を上方から所定の間隙をもって覆う傘部と、を有するケーシングと、ケーシング内に換気流を生じさせる換気ファンと、を備え、ケーシング内の空気を上記胴部と傘部との間の間隙から排出するようにしたことを特徴とする。
【０００７】
請求項２の発明にあっては、上記屋外設置型データ収集装置において、上記傘部は、有底筒状であり、下方に向けて開口し、かつ上記胴部の上方および側方を所定の間隙をもって覆うことを特徴とする。
【０００８】
請求項３の発明にあっては、上記屋外設置型データ収集装置において、上記胴部に、その上部開口よりさらに上方に突出するリブを設け、このリブに上記傘部を取り付けたことを特徴とする。
【０００９】
請求項４の発明にあっては、上記主装置部は、電子部品が実装された電子回路基板を含み、上記電子回路基板は、その基板表面が胴部内における換気流の流通方向に沿う姿勢で配置されることを特徴とする。
【００１０】
請求項５の発明にあっては、上記情報取得手段は、外気の性状を検出するセンサを含み、上記主装置部に対して換気流の上流となる位置に上記センサが配置されることを特徴とする。
【００１１】
請求項６の発明にあっては、上記主装置部に対して換気流の上流となり、かつ上記センサに対して換気流の下流となる位置に、上記換気ファンが配置されることを特徴とする。
【００１２】
請求項７の発明にあっては、ケーシングの少なくとも一部は透明であり、上記情報取得手段は、該ケーシングの透明部の内側に配置された日照センサを含むことを特徴とする。
【００１３】
請求項８の発明にあっては、上記情報取得手段によって取得された情報から屋内機器を制御する制御情報を生成する制御情報生成手段を設け、上記送信手段は、上記制御情報を送信することを特徴とする。
【００１４】
請求項９の発明にあっては、ケーシングの下面に、上記主装置部にケーシング外のセンサを接続するためのコネクタを設けたことを特徴とする。
【００１５】
請求項１０の発明にあっては、上記ケーシングを地面に対して離間配置する脚部を設け、上記脚部に水道栓および／または電源コンセントを設けたことを特徴とする。
【００１６】
請求項１１の発明にあっては、上記水道栓の開閉を制御する制御手段を設けたことを特徴とする。
【００１７】
請求項１２の発明にあっては、ケーシングの少なくとも一部は透明であり、上記情報取得手段は、該ケーシングの透明部の内側に配置されたカメラを含むことを特徴とする。
【発明の効果】
【００１８】
請求項１の発明によれば、ケーシングを、筒状の胴部とその上方を覆う傘部とによって、比較的簡素に構成することができる上、換気ファンを設けたことで、主装置部の発熱によるケーシング内の温度上昇を抑制することができる。さらに、胴部と傘部との間の間隙から空気を排出するようにしたので、当該排気路からの雨水の浸入を抑制することができる。
【００１９】
請求項２の発明によれば、胴部の外面と傘部の内面とで構成される間隙で下方に向かう排気路を形成することができ、雨水の浸入をより確実に抑制することができる。また、傘部を胴部に対して上方および側方に所定の間隙をもって離間配置したため、傘部から直射日光による熱が伝導されにくくなり、ケーシング内の温度上昇をさらに抑制することができる。
【００２０】
請求項３の発明によれば、リブを用いた比較的簡素な構成により、胴部の上端と傘部の天井面との間に間隙を形成することができる。
【００２１】
請求項４の発明によれば、基板表面が胴部内における換気流の流通方向に沿う姿勢で電子回路基板を配置したので、基板に実装される主装置部の構成部品および基板自体が冷却されやすくなり、より一層ケーシング内の温度上昇を抑制することができる。
【００２２】
請求項５の発明によれば、主装置部に対して換気流の上流となる位置に外気の性状を検出するセンサを配置したため、該センサに主装置部の発熱の影響が及ぶのを抑制し、より精度良く外気の性状を検出することができる。
【００２３】
請求項６の発明によれば、主装置部とセンサとの間に換気ファンを配置して、換気ファンによって主装置部とセンサとを隔絶したため、センサに主装置部の発熱の影響が及ぶのをより一層抑制し、より精度良く外気の性状を検出することができる。
【００２４】
請求項７の発明によれば、ケーシングの透明部の内側に日照センサを配置したため、ケーシング内部で日照センサを保護することができ、耐久性を向上することができる。
【００２５】
請求項８の発明によれば、屋内機器を制御する制御情報を生成する制御情報生成手段を設けたので、屋外環境に合わせて屋内機器を制御することができるようになり、該屋内機器のエネルギの浪費を低減することができる。
【００２６】
請求項９の発明によれば、ケーシングの下面に、主装置部にケーシング外のセンサを接続するためのコネクタを設けたため、各種センサを後付けすることができて拡張性が高くなり、設置場所に応じたより好適なデータ収集が可能となる。
【００２７】
請求項１０の発明によれば、脚部に水道栓または電源コンセントを設けたため、屋外設置型データ収集装置の近くで、水や電動器具を用いた作業をより容易に行うことができるようになる。
【００２８】
請求項１１の発明によれば、水道栓の開閉を制御する制御手段を設けたため、散水を自動的に行わせることができる。
【００２９】
請求項１２の発明によれば、ケーシング内にカメラを収容したので、設置場所付近の状況を静止画や動画で確認することができるとともに、ケーシング内で保護できる分、カメラの耐久性を向上することができる。
【発明を実施するための最良の形態】
【００３０】
以下、本発明の実施形態について図面を参照しながら詳細に説明する。図１は、屋外情報を利用したネットワークシステムの一例を示す図である。
【００３１】
図１のネットワークシステム１は、屋内に設けられた屋内機器２と、屋外に設けられたデータ収集装置３と、データ収集装置３により収集されたデータを集計する集計者側に設けられた集計サーバ４と、集計サーバ４により集計されたデータを統計処理等の解析手法を利用して解析する解析者側に設けられた解析サーバ５とを主な構成要素として備え、これら構成要素はインターネット等の電気通信回線６を介して相互に情報通信可能なように構成されている。
【００３２】
屋内機器２は、パーソナルコンピュータ、携帯電話機、ＰＤＡ（Personal Digital Assistant）等の汎用の情報処理装置として構成することができ、この場合、電気通信回線６を介して各種情報を閲覧、送受信する機能、電気通信回線６を介してデータ収集装置３を遠隔操作する機能を実現するためのコンピュータプログラムがインストールされる。あるいは、屋内機器２を、例えば空調装置や、照明器具、電動カーテン、電動ブラインドなど、本ネットワークシステム１による制御対象たる装置として含めてもよい。
【００３３】
データ収集装置３は、電源回路（図示せず）を介してソーラーパネル、風力発電システム、１００Ｖ電源、１２Ｖバッテリ等の電源（いずれも図示せず）から電力の供給を受けて動作し、収集した各種の屋外データを電気通信回線６を介して他装置に送信することができるようになっている。ここで、データ収集装置３で取り扱い可能な屋外データ（環境情報）としては、例えば、屋外の環境を示すデータ（外気の性状を示すデータ（例えば、温度、湿度等）、光度、雨量、風速等）やカメラ画像など、様々なものがある。また、データ収集装置３は、電気通信回線６を介して屋内機器２等から遠隔操作可能なように構成されている。このデータ収集装置３の具体的な構成については後に詳しく述べる。
【００３４】
集計サーバ４は、ワークステーション等の汎用の情報処理装置により構成され、データ収集装置３が検出した情報を受信する機能、受信した情報を所定の形式で集計する機能、集計した情報を解析サーバ５に送信するための機能を実現するためのコンピュータプログラムがインストールされている。
【００３５】
解析サーバ５は、ワークステーション等の汎用の情報処理装置により構成され、集計サーバ４から送信された情報を受信する機能、受信した情報を統計処理等の解析手法を利用して解析することにより必要な情報を抽出する機能、抽出された情報を屋内機器２に送信する機能を実現するためのコンピュータプログラムがインストールされている。
【００３６】
かかるネットワークシステム１は、一例としては、農作物育成支援システムとして構成することができる。この場合、データ収集装置３は、農地に設置され、農作物の育成に関連するデータ（日照、温度、湿度、カメラ画像等）を収集し、集計サーバ４は、各農家毎に所定の形式でデータを集計し、解析サーバ５は、集計されたデータに基づいて当該データに対応した農地および農作物に好適な育成条件に関する情報を抽出し、当該抽出されたデータが農家に設置される汎用の情報処理装置としての屋内機器２に送信される。これにより、農作物の生産性や、安全性、品質安定性が向上するという利点がある。
【００３７】
次に、本実施形態にかかるデータ収集装置について説明する。図２は、データ収集装置の外観図、図３は、データ収集装置の要部の縦断面図、図４は、データ収集装置の要部の横断面図である。
【００３８】
全体的にポール状の外観を呈するデータ収集装置３は、地面に設置されるポール状の脚部３３上に、ケーシング２１を有しており、このケーシング２１内に、情報取得手段および送信手段として機能する電子機器の少なくとも一部を成す主装置部が収容されている。
【００３９】
ケーシング２１は、少なくとも上方に向けて開口する筒状の胴部３２と、胴部３２を上方から覆う傘部３１と、を有する。具体的には、胴部３２は円筒状に形成される一方、傘部３１は下方に向けて開口する有底円筒状に形成され、傘部３１が胴部３２の上方および側方を所定の間隙をもって覆うように配置される所謂入れ子状の構成となっている。なお、胴部３２には、上部開口よりさらに上方に突出するリブ４２が複数（例えば４つ）設けられており、このリブ４２の上端に傘部３１の底面（天井面）が当接され、ネジ等で取り付けられている。本実施形態では、リブ４２は、胴部３２の内周面に隣接して上下方向に伸びている。
【００４０】
そして、本実施形態では、このケーシング２１に加えて、脚部３３も中空構造を成している。この脚部３３の側壁には、空気導入孔４５が形成される一方、胴部３２の下部（底部）には、胴部３２内を上方に向かう気流を生じさせるファン４１が設けられている。そして、胴部３２の内側空間と脚部３３内の内側空間とが、胴部３２の底壁に設けられた貫通穴を介して連通している。したがって、空気は、空気導入孔４５から脚部３３内側空間に入って上方に向かって流れ、さらに胴部３２の内側空間を上方に向かって流れて胴部３２の上端で折り返し、上記胴部３２の外面と傘部３１の内面との間の間隙を下方に向けて流れて、傘部３１の下端の排出口４３から排出される。なお、空気導入孔４５にはフィルタ４９が設けられており、塵や埃等がケーシング２１内に進入するのが抑制されている。このフィルタ４９を、気体を透過させ液体を透過させない気体透過材によって構成し、脚部３３内への水分の浸入を抑制するようにしてもよい。
【００４１】
主装置部は、大別して、電子回路基板部とカメラ５１とを含み、胴部３２内のファン４１の上方、すなわちファン４１より下流側となる位置に配置されている。
【００４２】
電子回路基板部は、ＣＰＵ基板３４とインターフェース基板３８とを備えており、これら基板３４，３８は棒状のスペーサ４４を介して相互に平行に所定の間隙をもって結合されている。また、これら基板３４，３８は、その表面が上下方向、すなわち換気流の流通方向に沿うように配置されている。具体的には、基板３４，３８のうちいずれか一方（本実施形態ではインターフェース基板３８）が、胴部３２の内周面上の相互に対向する位置で上下方向に延設された保持溝５２によって保持され、これにより、基板３４，３８の双方の表面が上下方向に沿うようにしてある。
【００４３】
ＣＰＵ基板３４には、各種演算処理を行うＣＰＵ３５や、演算処理用のプログラムや取得されたデータを保持するメモリ３６、送信手段として外部機器と無線によるデータの授受を行う無線ＬＡＮカード３７等が実装されている。このとき、ＣＰＵ３５が、空調装置等の屋内機器２を制御する制御情報を生成する制御情報生成手段として機能するようにしてもよい。
【００４４】
一方、インターフェース基板３８には、情報取得手段としての温度センサ４６，湿度センサ４７，日照センサ４８やカメラ５１とＣＰＵ基板３４上の実装回路（ＣＰＵ３５、メモリ３６等）とを接続するためのコネクタ３９や、それらセンサ４６，４７，４８によって取得されたアナログデータをＣＰＵ基板３４で処理可能なディジタルデータに変換するＡ／Ｄ変換器４０等が実装されている。
【００４５】
カメラ５１は、胴部３２内でファン４１の上方、すなわちファン４１に対して下流側となる位置に設置されている。胴部３２は、透明な素材（例えば樹脂）で構成されているため、このカメラ５１により、データ収集装置３の設置場所付近（外部）の状況を示す静止画や動画を取得することができる。取得されたデータは、送信手段としての無線ＬＡＮカード３７から電気通信回線６を経由して、集計サーバ４等に送信される。
【００４６】
外気の性状を検出するセンサとしての温度センサ４６や湿度センサ４７は、ファン４１の下方、すなわちファン４１に対して上流となる位置に設置されている。本実施形態では、胴部３２内に配置されている。
【００４７】
日照センサ４８は、傘部３１の天井面に取り付けられている。傘部３１も、胴部３２と同様、透明な素材（例えば樹脂）で構成されているため、この日照センサ４８により、環境照度を測定することができる。
【００４８】
また、胴部３２の下面にはコネクタ５０を設け、ケーシング外のセンサをＣＰＵ基板３４上の実装回路（ＣＰＵ３５、メモリ３６等）に接続できるようにしてある。
【００４９】
さらに、本実施形態では、脚部３３に水道栓および電源コンセント（いずれも図示せず）を設け、データ収集装置３の近くで、水や電動器具を用いた作業をより容易に行うことができるようにしてある。このとき、ＣＰＵ３５により、水道栓の開閉（開栓および閉栓）を制御するようのが好適である。具体的には、ＣＰＵ３５は、メモリ３６に保持されたプログラムにしたがって、予め設定されたタイミングで所定量の散水を実行することができる。さらに、取得された情報に基づいて散水量あるいは散水タイミングを可変制御してもよい。具体的には、例えば、温度が高いほど、湿度が低いほど、または日照量が多いほど、散水量を多くしたり、散水する間隔を短くしたりすることができる。
【００５０】
以上のように、本実施形態によれば、ケーシング２１を、筒状の胴部３２とその上方を覆う傘部３１とによって、比較的簡素に構成することができる上、ファン４１を設けたことで、主装置部の発熱によるケーシング２１内の温度上昇を抑制することができる。さらに、胴部３２と傘部３１との間の間隙から空気を排出するようにしたので、当該排気路からの雨水の浸入を抑制することができる。
【００５１】
また、本実施形態によれば、胴部３２の外面と傘部３１の内面とで構成される間隙で下方に向かう排気路を形成することができ、雨水の浸入をより確実に抑制することができる。また、傘部３１を胴部３２に対して上方および側方に所定の間隙をもって離間配置したため、傘部３１から直射日光による熱が伝導されにくくなり、ケーシング２１内の温度上昇をさらに抑制することができる。
【００５２】
また、本実施形態によれば、リブ４２を用いた比較的簡素な構成により、胴部３２の上端と傘部３１の天井面との間に間隙を形成することができる。
【００５３】
また、本実施形態によれば、基板表面が胴部３２内における換気流の流通方向に沿う姿勢で基板３４，３８を配置したので、当該基板３４，３８の実装部品（ＣＰＵ３５やＡ／Ｄ変換器４０など）および基板３４，３８自体が冷却されやすくなり、より一層ケーシング２１内の温度上昇を抑制することができる。
【００５４】
また、本実施形態によれば、主装置部に対して換気流の上流となる位置に外気の性状を検出するセンサとしての温度センサ４６や湿度センサ４７を配置したため、これらセンサ４６，４７に主装置部の発熱の影響が及ぶのを抑制し、より精度良く外気の性状を検出することができる。
【００５５】
また、本実施形態によれば、主装置部と外気の性状を検出するセンサとしての温度センサ４６や湿度センサ４７との間にファン４１を配置して、ファン４１によって主装置部とセンサ４６，４７とを隔絶したため、センサ４６，４７に主装置部の発熱の影響が及ぶのをさらに抑制し、より精度良く外気の性状を検出することができる。
【００５６】
また、本実施形態によれば、透明に構成した傘部３１の天井面に日照センサ４８を取り付けたため、ケーシング２１内部で日照センサ４８を保護することができ、耐久性を向上することができる。
【００５７】
また、本実施形態では、ＣＰＵ３５によって屋内機器２を制御する制御情報を生成し、これを無線ＬＡＮカード３７や電気通信回線６を介して屋内機器２に送信するようにすれば、屋外環境に合わせて屋内機器２を制御することができるようになり、該屋内機器２のエネルギの浪費を低減することができる。
【００５８】
また、本実施形態によれば、胴部３２の下面に、主装置部にケーシング２１外のセンサを接続するためのコネクタ５０を設けたため、各種センサを後付けすることができて拡張性が高くなり、データ収集装置３の設置場所に応じたより好適なデータ収集が可能となる。
【００５９】
また、本実施形態によれば、脚部３３に水道栓または電源コンセントを設けたため、データ収集装置３の近くで、水や電動器具を用いた作業をより容易に行うことができるようになる。一例として、庭等にデータ収集装置３を設置した場合には、植物への散水や、芝刈機の電源供給を容易に行うことができるというメリットがある。
【００６０】
さらに、ＣＰＵ３５によって水道栓の開閉を制御するようにすれば、散水を自動的に行わせることができ、便利であるとともに、より適したタイミングあるいは量の散水を実行できるようになる。
【００６１】
また、本実施形態によれば、透明に構成した胴部３２の内側にカメラ５１を収容し、取得した画像データを無線ＬＡＮカード３７や電気通信回線６を介して送信するようにしたので、設置場所付近の状況を静止画や動画で確認することができるとともに、ケーシング２１内で保護できる分、カメラ５１の耐久性を向上することができる。一例として、農場に設置する場合には農作物等の盗難抑制効果が期待でき、住宅等に設置する場合には空き巣等の抑制効果が期待できる。
【００６２】
以上、本発明の好適な実施形態について説明したが、本発明は上記実施形態に限定されるものではなく、要旨を逸脱しない範囲で上記実施形態に種々の改変を施すことができる。例えば、電子回路基板とカメラの配置は上記実施形態には限定されず、上下位置を逆にしてもよい。また、送信手段としては、無線ＬＡＮ以外の通信手段や有線の通信手段でもよい。また、集計サーバや解析サーバの無いシステムでも、本発明にかかる屋外設置型データ収集装置を用いることができる。また、ケーシングの全体ではなく一部のみを透明な素材で構成し、その透明部分の内側にカメラや日照センサを配置するようにしてもよい。
【図面の簡単な説明】
【００６３】
【図１】本発明の実施形態にかかる屋外設置型データ収集装置を含むネットワークシステムの概略図。
【図２】本発明の実施形態にかかる屋外設置型データ収集装置の外観図。
【図３】本発明の実施形態にかかる屋外設置型データ収集装置の縦断面図。
【図４】本発明の実施形態にかかる屋外設置型データ収集装置の横断面図。
【符号の説明】
【００６４】
２  屋内機器
３  データ収集装置（屋外設置型データ収集装置）
２１  ケーシング
３１  傘部
３２  胴部
３３  脚部
３４  ＣＰＵ基板（電子回路基板）
３８  インタフェース基板（電子回路基板）
４１  ファン（換気ファン）
４２  リブ
４６  温度センサ
４７  湿度センサ
４８  日照センサ
５０  コネクタ
５１  カメラ
【図１】
2006105745.tif 000003
【図２】
2006105745.tif 000004
【図３】
2006105745.tif 000005
【図４】
2006105745.tif 000006